(57)【特許請求の範囲】
【請求項１】
前方が開放した略箱形の外枠（２）と、複数種類の遊技図柄を変動表示可能な複数の図柄表示部（１１ａ）〜（１１ｃ）を備えた変動表示手段（７）と、前記外枠（２）の前側に開閉可能に枢着され且つ前記各図柄表示部（１１ａ）〜（１１ｃ）に対応する図柄表示窓（５１ａ）〜（５１ｃ）を有する前枠（３）とを備えた回胴式遊技機において、前記前枠（３）の前側で且つ前記図柄表示窓（５１ａ）〜（５１ｃ）を避けた位置に、前記前枠（３）の前面側の所定部位を構成する前面構成部材（１１１）を着脱可能に装着し、該前面構成部材（１１１）は、左右方向中央部分に設けられた表示用窓部（１１６）と、該表示用窓部（１１６）の左右の縁部から後ろ向きに突出すると共にその先端側に内向きの爪部（１１８ａ）が設けられた保持突起（１１８）とを備え、前記表示用窓部（１１６）には、液晶カバー板（１２１′）と、この液晶カバー板（１２１′）を前側から覆う表示カバー（１２２）とが後側から着脱自在に装着されており、前記表示カバー（１２２）は、前記表示用窓部（１１６）に後側から嵌合するカバー部（１２３）と、このカバー部（１２３）の後縁側に沿ってその外側に所定幅で突出する鍔部（１２２ａ）とを一体に備え、前記表示カバー（１２２）と前記液晶カバー板（１２１′）とは、前記保持突起（１１８）の爪部（１１８ａ）を前記液晶カバー板（１２１′）の側縁部に係合させることにより前記前面構成部材（１１１）の後側に固定され、前記表示用窓部（１１６）の左右両側で前記前面構成部材（１１１）の後側に配置されるレンズ部材（１２６）の保持突部（１３０）を、前記表示カバー（１２２）の鍔部（１２２ａ）と前記前面構成部材（１１１）との隙間に嵌合させ、液晶表示手段（１８１′）を、前記表示用窓部（１１６）に対応して前記前枠（３）の後側に装着したことを特徴とする回胴式遊技機。
【請求項２】
前記前面構成部材（１１１）に、該前面構成部材（１１１）を前記前枠（３）に固定するための爪部（１１９ａ）を設けたことを特徴とする請求項１に記載の回胴式遊技機。
【請求項３】
前記前面構成部材（１１１）と隣接する位置にランプカバー（６６）を着脱可能に配置し、前記ランプカバー（６６）と前記前面構成部材（１１１）とを前記前枠（３）に対して少なくとも一カ所で共締めにより固定したことを特徴とする請求項１又は２に記載の回胴式遊技機。
【請求項４】
前記前面構成部材（１１１）は、前記前枠（３）の横幅寸法と同一若しくは略同一の横幅寸法を有する横長帯状に形成され、前記前枠（３）の前面側所定高さ位置に横幅方向全域にわたって凹設された前面構成部材取り付け部（１１２）に、前側から嵌脱自在に取り付けたことを特徴とする請求項１〜３の何れかに記載の回胴式遊技機。
【発明の詳細な説明】
【０００１】
【発明の属する技術分野】
本発明は、回胴式遊技機に関するものである。
【０００２】
【従来の技術】
回胴式遊技機は、前方が開放した略箱形の外枠内に複数種類の遊技図柄を変動表示可能な複数の図柄表示部を、外枠の前側に枢着された前枠に各図柄表示部に対応する図柄表示窓を夫々備え、遊技者のスタートレバー操作に基づいて複数の図柄表示部の変動を開始させると共に抽選手段による抽選を行い、その抽選結果に基づいて停止許可手段が所定の入賞態様での停止許可信号を出力し且つ遊技者によるストップボタン操作により停止した図柄表示部の停止図柄が所定の入賞態様となることを条件に、遊技者に有利な利益状態を発生させるようになっている。
【０００３】
また、この種の回胴式遊技機では、前枠の例えば図柄表示窓の上側に表示用窓部を設け、この表示用窓部に例えば入賞態様や入賞時におけるメダルの払い出し枚数等の所定の情報が表示された表示板や、或いは演出用の画像を変動表示するための液晶表示手段等の電気的表示手段を配置したものなどが知られている。
【０００４】
【発明が解決しようとする課題】
従来の回胴式遊技機では、表示板や電気的表示手段が配置される表示用窓部が前枠本体に設けられているため、表示板や電気的表示手段を搭載した機種については夫々専用の前枠を用意する必要があり、また例えば表示板を搭載した機種から電気的表示手段を搭載した機種へと機種変更する場合には前枠ごと交換する必要があり、開発や機種変更に伴うコストが膨大となる欠点があった。
【０００５】
また、たとえ１つの前枠で表示板と電気的表示手段とを交換可能に構成したとしても、それに対応して前枠の前面側のデザインを容易に変更することができず、機種毎の独自性をアピールすることが難しいという欠点もあった。
【０００６】
本発明は、このような問題点に鑑み、前枠全体を交換することなく表示板と電気的表示手段とを容易に交換可能とし、また前枠全体を交換することなく表示用窓部及びその周辺部分のデザインを容易に変更可能な回胴式遊技機を提供することを目的とする。
【０００７】
【課題を解決するための手段】
本発明は、前方が開放した略箱形の外枠２と、複数種類の遊技図柄を変動表示可能な複数の図柄表示部１１ａ〜１１ｃを備えた変動表示手段７と、前記外枠２の前側に開閉可能に枢着され且つ前記各図柄表示部１１ａ〜１１ｃに対応する図柄表示窓５１ａ〜５１ｃを有する前枠３とを備えた回胴式遊技機において、前記前枠３の前側で且つ前記図柄表示窓５１ａ〜５１ｃを避けた位置に、前記前枠３の前面側の所定部位を構成する前面構成部材１１１を着脱可能に装着し、該前面構成部材１１１は、左右方向中央部分に設けられた表示用窓部１１６と、該表示用窓部１１６の左右の縁部から後ろ向きに突出すると共にその先端側に内向きの爪部１１８ａが設けられた保持突起１１８とを備え、前記表示用窓部１１６には、液晶カバー板１２１′と、この液晶カバー板１２１′を前側から覆う表示カバー１２２とが後側から着脱自在に装着されており、前記表示カバー１２２は、前記表示用窓部１１６に後側から嵌合するカバー部１２３と、このカバー部１２３の後縁側に沿ってその外側に所定幅で突出する鍔部１２２ａとを一体に備え、前記表示カバー１２２と前記液晶カバー板１２１′とは、前記保持突起１１８の爪部１１８ａを前記液晶カバー板１２１′の側縁部に係合させることにより前記前面構成部材１１１の後側に固定され、前記表示用窓部１１６の左右両側で前記前面構成部材１１１の後側に配置されるレンズ部材１２６の保持突部１３０を、前記表示カバー１２２の鍔部１２２ａと前記前面構成部材１１１との隙間に嵌合させ、液晶表示手段１８１′を、前記表示用窓部１１６に対応して前記前枠３の後側に装着したものである。
【０００８】
【発明の実施の形態】
以下、本発明の実施形態を図面に基づいて詳述する。図１〜図１４は、本発明に係る回胴式遊技機を具現化した第１の実施形態を例示している。図１及び図２において、１は遊技機本体で、前方が開放した矩形箱形の外枠２と、この外枠２の前側に配置された矩形状の前枠３とを備えている。前枠３は、左右一端側に配置された上下一対のヒンジ４を介して外枠２に対して開閉自在に装着されている。
【０００９】
外枠２内には、その左右の縦枠材の上下方向略中央部分を左右に連結する中間支持板２ａが設けられており、その中間支持板２ａよりも下側の空間内にはメダル払い出し装置５や図示しない電源ユニット等が、中間支持板２ａ上には変動表示手段７が、夫々配置されている。
【００１０】
メダル払い出し装置５は、遊技媒体としてのメダルを貯留するメダルホッパー８、メダルを払い出す払い出し手段９等を備えている。
【００１１】
払い出し手段９は、メダルホッパー８内のメダルを払い出すためのもので、メダルホッパー８の下部側に設けられ、モータ等の駆動手段によりメダルホッパー８内の回転体を駆動して、メダル払い出し口１０から前側へとメダルを払い出すようになっている。
【００１２】
変動表示手段７は、組み合わせ遊技用の遊技図柄を変動表示するもので、複数、例えば３つの図柄表示リール（図柄表示部）１１ａ〜１１ｃを左右方向に備えており、各図柄表示リール１１ａ〜１１ｃをステッピングモータ等の回転駆動手段１２ａ〜１２ｃにより個別に回転駆動可能となっている。
【００１３】
図柄表示リール１１ａ〜１１ｃの外周面には、「７」、「３」、「ＢＡＲ」、「チェリー」、「リプレイ」等の複数種類の遊技図柄が円周方向に所定間隔で複数個（例えば２１個）プリントされている。
【００１４】
前枠３には、その上下方向略中央部分に前側に張り出す操作パネル部２１が、最下部にメダルを貯留するメダル受け皿２２が夫々横長状に設けられている。操作パネル部２１の上側には、その略下半分の領域に第１表示パネル部２３が配置され、略上半分の領域にはランプパネル部２４と第２表示パネル部２５とが上下に隣接して配置されている。
【００１５】
操作パネル部２１の上面側には、例えば左端側にクレジット精算ボタン３１、１ＢＥＴボタン３２及びマックスＢＥＴボタン３３が、右端側にメダル投入口３４及び返却ボタン３５が夫々設けられている。
【００１６】
メダル投入口３４は、メダルを１枚ずつ投入可能に構成されており、投入されたメダルは前枠３の裏側に配置されたメダル選別手段３６で正否の判別を受けた後、正規のメダルのみがメダル検出スイッチ３７で検出されてメダル払い出し装置５のメダルホッパー８に案内され、不正メダル等は返却通路３８を介してメダル払い出し口３９からメダル受け皿２２に返却されるようになっている。
【００１７】
なお、このメダル投入口３４は、複数枚のメダルを一括投入可能な構成としてもよい。返却ボタン３５は、メダル投入口３４内に詰まったメダルを返却通路３８を介してメダル受け皿２２に返却させるためのものである。
【００１８】
クレジット精算ボタン３１は、クレジットされているメダルの精算と、獲得したメダルのクレジット／払い出しの切り換えとを行うためのものである。１ＢＥＴボタン３２及びマックスＢＥＴボタン３３は、メダルがクレジットされている場合に、メダル投入口３４へのメダル投入に代えてクレジットからメダルをベットするためのもので、１回の操作につき夫々１枚及び３枚のメダルをベットできるようになっている。
【００１９】
操作パネル部２１の前面側には、例えばその左側にスタートレバー４１が、略中央部分に３つのストップボタン４２ａ〜４２ｃが夫々設けられている。スタートレバー４１は、図柄表示リール１１ａ〜１１ｃの回転を開始させるためのもので、例えば上下方向に揺動可能に構成されている。ストップボタン４２ａ〜４２ｃは、各図柄表示リール１１ａ〜１１ｃの回転を個別に停止させるためのもので、各図柄表示リール１１ａ〜１１ｃに対応してその下側に夫々配置されている。
【００２０】
メダル受け皿２２の上側近傍には、左右方向略中央部分にメダル払い出し口３９が配置され、その左右両側には夫々スピーカ４３が前枠３の裏面側から装着されている。なお、操作パネル部２１とメダル受け皿２２との間には、当該遊技機をアピールするための下部装飾パネル４４が配置されている。この下部装飾パネル４４には、例えばこの遊技機の名称やこの遊技機で用いられているキャラクター等が描かれている。
【００２１】
第１表示パネル部２３は、第２表示パネル部２５の下縁部から操作パネル部２１の上面側後縁部にかけて前下がりの傾斜状に形成されており、左右の窓枠部４５の間に矩形状の窓部４６が形成されている。窓枠部４５は、その下端側が操作パネル部２１の上面側に滑らかに連結する形状となっており、操作パネル部２１の上面側が窓部４６の下枠部分を構成している。
【００２２】
窓部４６には、パネル板４７が窓枠部４５の裏側から着脱可能に装着されている。パネル板４７上には、図柄表示リール１１ａ〜１１ｃに対応する３つの図柄表示窓５１ａ〜５１ｃが左右方向に配置されている。各図柄表示窓５１ａ〜５１ｃは、夫々図柄表示リール１１ａ〜１１ｃ上の連続する３つの図柄を同時に表示できる大きさの縦長矩形状に形成されている。
【００２３】
図柄表示窓５１ａ〜５１ｃの下側には、クレジット表示部５２，役物当選回数表示部５３、及び獲得メダル表示部５４が左右方向に配置されている。クレジット表示部５２はクレジットされているメダル枚数を表示するもの、役物当選回数表示部５３は役物の残り当選回数等を表示するもの、獲得メダル表示部５４はそのゲームで獲得したメダル枚数を表示するもので、夫々例えば７セグメント式の表示手段等により構成されている。
【００２４】
なお、パネル板４７は、例えば透明なアクリル板の裏面側等に、図柄表示窓５１ａ〜５１ｃ，クレジット表示部５２，役物当選回数表示部５３、及び獲得メダル表示部５４に対応する各領域を残してそれ以外の部分に不透明なプリントが施されて形成されている。
【００２５】
ランプパネル部２４は、前枠３の上端側に横長矩形状に形成されており、その左右両端に一対の上部サイドランプ６１が、上縁側に上部センターランプ６２が、下縁側に上部表示パネル６３が夫々配置されている。
【００２６】
上部サイドランプ６１は、ランプパネル部２４の左右両縁部側に配置され且つ左右方向の内側が斜め下向きに傾斜する正面視略三角状に形成されており、図７に示すように、１又は複数のランプ６４が設けられたサイドランプ基板６５と、このサイドランプ基板６５を前側から覆うサイドランプカバー６６と、前枠３と一体のサイドランプ取り付け部６７とを備えている。サイドランプ基板６５は、例えばサイドランプ取り付け部６７の裏面側に、ランプ６４を孔部６７ａから前側に突出させた状態で着脱自在に装着されており、サイドランプカバー６６はランプ６４を前側から覆うようにサイドランプ取り付け部６７の前側に着脱自在に装着されている。
【００２７】
サイドランプカバー６６は前側に膨出する形状であって、その後縁側には、図１２等に示すように、上縁側でランプパネル部２４の上隅部近傍に前後方向のネジ孔を備えた固定基部６８が、下端部側に下側の第２表示パネル部２５側に突出し且つ前後方向の通孔６９を備えた固定支持部７０が、上部センターランプ６２との隣接部分に上部センターランプ６２側に突出する例えば上下一対の係合突起７１が、夫々一体に設けられており、例えば透光性を有し且つ所定の色に着色された樹脂材料により形成されている。
【００２８】
サイドランプカバー６６は、係合突起７１を後述するセンターランプカバー８３側の係合孔部８７に係合させた状態で、固定基部６８と固定支持部７０との２カ所でサイドランプ取り付け部６７側に対してネジ止めにより着脱自在に固定されている。なお、サイドランプ取り付け部６７側には固定基部６８に対応する通孔７２が設けられている。
【００２９】
上部センターランプ６２は、ランプパネル部２４の上縁に沿って左右両側の上部サイドランプ６１間を接続する正面視横長矩形状に形成されており、図７に示すように、１又は複数のランプ８１が設けられたセンターランプ基板８２と、このセンターランプ基板８２を前側から覆うセンターランプカバー８３と、前枠３と一体のセンターランプ取り付け部８４とを備えている。センターランプ基板８２は、例えばセンターランプ取り付け部８４の裏面側に、ランプ８１を孔部８４ａから前側に突出させた状態で着脱自在に装着されており、センターランプカバー８３はランプ８１を前側から覆うようにセンターランプ取り付け部８４の前側に着脱自在に装着されている。
【００３０】
センターランプカバー８３は前側に膨出する形状であって、その後縁側には、図１２に示すように、上縁側に沿った複数箇所に前後方向のネジ孔を備えた固定基部８５が、上部サイドランプ６１との隣接部分に後側に突出する固定突起８６とその上下の係合孔部８７が、下縁側に沿った複数箇所に下向きに突出する係合突起８８が、夫々一体に設けられ、その全体が例えば透光性を有し且つ所定の色に着色された樹脂材料により形成されている。固定突起８６の先端側には、内向きの係合爪８６ａが設けられている。
【００３１】
センターランプカバー８３は、係合突起８８を後述する装着部９３の上面側の係合孔部９７に係合させ、更に固定突起８６の係合爪８６ａをセンターランプ取り付け部８４側の係合孔部８９に係合させた状態で、固定基部８５においてセンターランプ取り付け部６７に対してネジ止めにより着脱自在に固定されている。なお、センターランプ取り付け部６７には、固定基部８５に対応する通孔９０が形成されている。
【００３２】
上部表示パネル６３は、上側と左右両側とを上部サイドランプ６１と上部センターランプ６２とで囲まれた正面視略台形状に形成されており、図３及び図７に示すように、前枠３の前側から着脱自在に装着される表示部９１と、この表示部９１に対応する開口窓９２を有し且つ前枠３に一体に形成された装着部９３と、開口窓９２の縁部から後側に膨出状に一体形成された後部ケース体９４とを備えている。
【００３３】
表示部９１は、額縁状の表示枠９５と、この表示枠９５の裏側に装着された表示板９６とを備えており、装着部９３に対して前側から着脱自在に装着されている。表示板９６は、例えば透明なアクリル板等により形成され、その裏面側等に、入賞図柄及び入賞時におけるメダルの払い出し枚数等の所定の情報がプリントされ、前側から視認可能となっている。
【００３４】
装着部９３は、上部側が下部側よりも前側にせり出した傾斜状に形成されており、表示部９１を若干斜め下向きの姿勢で保持するようになっている。装着部９３の上縁側は、センターランプカバー８３の下面側後部を下側から覆うようになっており、その上面側にセンターランプカバー８３側の係合突起８８が係合する係合孔部９７が形成されている。
【００３５】
後部ケース体９４は、前側が開口した略箱形に形成されており、その内部には蛍光灯９８が左右方向に配置されている。蛍光灯９８は、その裏側に配置された第１反射板９９と共に後部ケース体９４の後部壁９４ａの前面側に取り付け基部１００を介して着脱自在に装着されている。
【００３６】
後部ケース体９４の下部壁９４ｂには、蛍光灯９８に対応して開口部１０１が形成されている。また、後部ケース体９４の後部壁９４ａには、その裏面側に第２反射板１０２が装着されている。第２反射板１０２は、後部壁９４ａの下側で前向きに屈曲しており、その屈曲部よりも下部側が斜め上向きに傾斜した反射面１０２ａとなっている。なお、第２反射板１０２は着脱自在であり、この第２反射板１０２を取り外した状態では第２表示パネル部２５の後側に大きな空間が確保できるようになっている。
【００３７】
蛍光灯９８はその前側の表示部９１を裏側から照明すると共に、開口部１０１を介して下側に漏れた光が、第２反射板１０２の反射面１０２ａに反射してその前側の第２表示パネル部２５側を照明するようになっている。
【００３８】
なお、後部ケース体９４の下側には、開口部１０１よりも左右方向外側に、三角状の補強リブ１０３が、第２表示パネル部２５の裏面側にわたって一体に形成されている。
【００３９】
第２表示パネル部２５は、ランプパネル部２４と第１表示パネル部２３との間に横長矩形状に形成されており、この第２表示パネル部２５の前面側を構成する着脱自在の前面構成部材１１１と、前枠３に一体に形成される前面構成部材取り付け部１１２とを備えている。
【００４０】
前面構成部材１１１は、前枠３の横幅寸法と同一の横幅寸法を有する横長帯状に形成されており、前枠３の前面側所定高さ位置に横幅方向全域にわたって凹設された前面構成部材取り付け部１１２に、前側から嵌脱自在に取り付けられるようになっている。なお、前面構成部材１１１の横幅寸法は必ずしも前枠３の横幅寸法と同一でなくてもよく、前枠３の横幅寸法と略同一であってもよいし、前枠３の横幅寸法よりも小さくてもよい。
【００４１】
前面構成部材１１１には、図３〜図６に示すように、その略上半分が前側に膨出する断面円弧状の上板部１１４，略下半分が全体的に前下がりに傾斜する下板部１１５となっており、左右方向中央部分に上板部１１４と下板部１１５とに跨って矩形状の表示用窓部１１６が開口状に形成されている。
【００４２】
また、前面構成部材１１１の左右両縁部と上縁部の全体、及び下縁部の両端側には周壁部１１３が後ろ向きに一体に形成されている。左右両側の周壁部１１３ｂは、その後縁側が上下方向略中央部分で前後方向に屈曲しており、その屈曲部分より上側は略鉛直に、下側は下板部１１５の傾斜よりも鉛直に近い前下がりの傾斜状に形成されている。
【００４３】
表示用窓部１１６の周縁部には、周壁部１１３よりも突出量の小さい囲いリブ１１７が後ろ向きに一体に形成されており、また表示用窓部１１６の左右の縁部には、その上下方向略中央部分に左右一対の保持突起１１８が、その下部側に左右一対の固定突起１１９が、共に囲いリブ１１７から後ろ向きに突出するように一体に設けられている。固定突起１１９と保持突起１１８とは、夫々先端側に内向きの係合爪（爪部）１１９ａ，１１８ａが一体に設けられており、固定突起１１９の方が保持突起１１８よりも後方への突出量が大となっている。
【００４４】
表示用窓部１１６の下側には、囲いリブ１１７よりも大きく後方に突出する支持突起１２０が、左右方向に所定間隔をおいて複数、例えば２つ設けられている。
【００４５】
表示用窓部１１６には、表示板１２１と、この表示板１２１を前側から覆う表示カバー１２２とが後側から着脱自在に装着されている。表示カバー１２２は、表示用窓部１１６に後側から嵌合する膨出状のカバー部１２３と、このカバー部１２３の後縁側に沿ってその外側に所定幅で突出する鍔部１２２ａとを一体に備えており、その全体が透明な樹脂等により形成されている。
【００４６】
表示板１２１は、表示用窓部１１６よりも上下方向に若干大きい矩形板状に形成されており、図１０に示すように、その周縁部前面側を表示カバー１２２の鍔部１２２ａの裏面側に当接させた状態で下縁側が支持突起１２０により下側から支持されると共に、その左右両端部側に保持突起１１８の係合爪１１８ａが係合して、表示カバー１２２と共に前面構成部材１１１側に保持されている。即ち、表示カバー１２２は、その鍔部１２２ａを前面構成部材１１１側の囲いリブ１１７と表示板１２１の周縁部とで前後に挟まれた状態で前面構成部材１１１側に固定されている。鍔部１２２ａには、固定突起１１９と保持突起１１８とに対応する切り欠き部１２２ｂが設けられている。
【００４７】
表示板１２１は、例えば透明なアクリル板等により形成され、その裏面側等に入賞図柄等の所定の情報がプリントされ、表示カバー１２２を介して前側から視認可能となっている。
【００４８】
なお、表示カバー１２２と表示板１２１とを前面構成部材１１１に装着したとき、表示板１２１の裏面側の位置は上周壁部１１３ａから左右の周壁部１１３ｂの上部側にかけての後縁側の位置と略一致するようになっている。
【００４９】
前面構成部材１１１の上板部１１４には、表示用窓部１１６の左右に、夫々ランプカバー部１２４が設けられている。このランプカバー部１２４は、上板部１１４に上下に複数形成された横長状のスリット１２５と、これらスリット１２５の後側に装着されるレンズ部材１２６とを備えている。
【００５０】
レンズ部材１２６は、図８及び図９に示すように、上板部１１４の裏面側に沿って断面円弧状に形成された前面板１２８と、この前面板１２８の周囲に後ろ向きに一体形成された周壁部１２９と、この周壁部１２９の表示用窓部１１６側の側面から表示用窓部１１６側に突設された保持突部１３０と、周壁部１２９の表示用窓部１１６とは反対側の側面から外向きに突設され且つ前後方向の通孔１３１が形成された固定突部１３２とを一体に備え、その全体が例えば透光性を有し且つ所定の色に着色された樹脂材料により形成されている。前面板１２８の前面側には、スリット１２５に後側から嵌合する突条部１２７が一体に形成されている。
【００５１】
レンズ部材１２６は、前面板１２８の突条部１２７をスリット１２５に裏側から嵌合させた状態で、その左右両側の保持突部１３０及び固定突部１３２において前面構成部材１１１に固定されている。即ち、保持突部１３０は表示カバー１２２の鍔部１２２ａと上板部１１４との隙間に嵌合し、固定突部１３２は上板部１１４の裏面側に設けられた固定基部１３３に対してネジ止めにより固定されるようになっている。
【００５２】
なお、レンズ部材１２６を前面構成部材１１１に装着したとき、レンズ部材１２６の後縁側の位置は上周壁部１１３ａから左右の周壁部１１３ｂの上部側にかけての後縁側の位置と略一致するようになっている。
【００５３】
前面構成部材１１１の下板部１１５は、第１表示パネル部２３側の窓部４６の上枠部分を構成するもので、第１表示パネル部２３の左右の窓枠部４５に滑らかに接続するように、表示用窓部１１６の左右で後側に凹入する凹入部１４１が形成されている。左右の凹入部１４１の間の部分は、その上部側から下部側に向けて断面円弧状に形成されており、その下縁部は凹入部１４１の凹入面１４１ａと略一致している。
【００５４】
前面構成部材１１１の上縁側の周壁部１１３ａには、その左右両端側近傍にサイドランプカバー６６側の固定支持部７０が嵌合する切り欠き部１５１が形成されており、この切り欠き部１５１の下側には、ネジ孔を有する固定基部１５２が上板部１１４の裏面側に一体に設けられている。また、上周壁部１１３ａ上には、後ろ向きに突出する固定突起１５３が、所定間隔で複数、例えば左右に２つ設けられている。固定突起１５３の先端側には、上向きの係合爪１５３ａが一体に形成されている。
【００５５】
下板部１１５の裏面側には、ネジ孔を有する固定基部１５４が、左右方向に複数、例えば４個設けられている。更に、前面構成部材１１１の裏面側には、後向きに突出する補強リブ１５５が、固定基部１３３，１５４、囲いリブ１１７、周壁部１１３等を夫々接続するように縦横に配設されている。
【００５６】
前面構成部材取り付け部１１２は、前面構成部材１１１をその前側に着脱自在に装着するためのもので、上側のランプパネル部２４や下側の第１表示パネル部２３の表面側よりも前面構成部材１１１の厚さ分だけ後側に奥まった位置に設けられた略鉛直な板状部材により構成され、前枠３に一体に形成されている。
【００５７】
前面構成部材取り付け部１１２には、図７に示すように、その左右方向略中央部分に前面構成部材１１１側の表示用窓部１１６に対応する矩形状の窓孔１６１が形成されている。窓孔１６１の左右両側には、前面構成部材１１１側の保持突起１１８の先端側が挿入される挿入孔１６２と、固定突起１１９の係合爪１１９ａが係合する係合孔１６３とが上下に配置されている。
【００５８】
また、窓孔１６１の左右両側には、前面構成部材１１１側のランプカバー部１２４に対応して孔部１６４が形成されている。この孔部１６４の裏側には、ランプ１７０を設けたランプ基板１７１が、ランプ１７０を前側に突出させた状態で着脱自在に装着されるようになっている。
【００５９】
前面構成部材取り付け部１１２の左右両端側の下部には、前面構成部材１１１の左右の周壁部１１３ｂの下部側の形状に対応する前下がりの傾斜面を形成する傾斜膨出部１７２が、第１表示パネル部２３側の窓枠部４５と略等しい幅に形成されている。
【００６０】
左右の傾斜膨出部１７２の間には、第１表示パネル部２３側のパネル板４７の上縁側に沿って装着されたパネル枠部材１７３の上縁側が、前面構成部材取り付け部１１２の下縁側の前側に下側から係合するようになっている。
【００６１】
更に、前面構成部材取り付け部１１２の上縁側には、固定突起１５３の係合爪１５３ａが係合する係合孔１７４と、固定基部１５２に対応する通孔１７５とが形成され、下縁側近傍には、固定基部１５４に対応する通孔１７６が複数形成されている。
【００６２】
前面構成部材取り付け部１１２の裏面側には、その下部側の左右両側に、第２反射板１０２の下部側を前側から保持する保持リブ１７７が、後ろ向きに突設されている。
【００６３】
前面構成部材１１１の前面構成部材取り付け部１１２への装着に際しては、予め前面構成部材１１１に表示カバー１２２、表示板１２１、及びレンズ部材１２６を装着しておく。
【００６４】
即ち、表示カバー１２２を表示用窓部１１６に後側から嵌合させてその鍔部１２２ａを囲いリブ１１７の裏面側に当接させ、更にその鍔部１２２ａを前向きに押し付けるように支持突起１２０上に表示板１２１を配置し、表示板１２１の側縁部に保持突起１１８の係合爪１１８ａを係合させて固定する。
【００６５】
そして、レンズ部材１２６を、その保持突部１３０を表示カバー１２２の鍔部１２２ａと前面構成部材１１１との隙間に挿入した状態で突条部１２７をスリット１２５に裏側から嵌合させ、固定突部１３２を上板部１１４の裏面側に設けられた固定基部１３３に対して裏側からネジ止めにより固定する。
【００６６】
また、前面構成部材１１１の装着前に、サイドランプカバー６６をサイドランプ取り付け部６７に装着しておく。
【００６７】
そして、前面構成部材１１１を前面構成部材取り付け部１１２に装着する際には、まず前面構成部材１１１側の固定突起１１９，１５３の係合爪１１９ａ，１５３ａを夫々係合孔１６３，１７４に前側から係合させる。固定突起１１９の係合爪１１９ａが係合孔１６３に係合した状態を図１１に示す。
【００６８】
このとき、前面構成部材１１１の周壁部１１３、表示板１２１の左右縁部、及びレンズ部材１２６の後縁側が前面構成部材取り付け部１１２の前側に略当接し、前面構成部材１１１の下縁側は、左右の周壁部１１３間においてパネル板４７の上縁側及びパネル枠部材１７３の前側を略覆う状態となる。また、上周壁部１１３ａの切り欠き部１５１は、サイドランプカバー６６側の固定支持部７０に前側から嵌合する。
【００６９】
この状態で、固定基部１５２が前面構成部材取り付け部１１２側の通孔１７５，及びサイドランプカバー６６側の通孔６９を介して、固定基部１５４が通孔１７６を介して、夫々前面構成部材取り付け部１１２の裏側からネジ止めにより固定される。なおこのとき、サイドランプカバー６６側の固定支持部７０と前面構成部材１１１側の固定基部１５２とが前枠３側の前面構成部材取り付け部１１２に対して友締めにより固定される。
【００７０】
以上は、表示用窓部１１６に表示板１２１を取り付けた前面構成部材１１１を前枠３に装着した例を示したが、その前面構成部材１１１を表示用窓部１１６に液晶表示手段（電気的表示手段）１８１を装着した前面構成部材１１１′と取り替えることも可能である。
【００７１】
前面構成部材１１１′は、図１３及び図１４に示すように、表示用窓部１１６に装着した液晶表示手段１８１とその取り付け構造以外は前面構成部材１１１と略同様の構成を有している。なお、液晶表示手段１８１を装着する場合、裏側から照明を行う必要がないため、前面構成部材１１１′を装着する際には第２反射板１０２は後部ケース体９４から取り外される。
【００７２】
前面構成部材１１１′の裏面側には、前面構成部材１１１と同様、囲いリブ１１７が後ろ向きに一体に形成されており、また表示用窓部１１６の左右の縁部には、その上下方向略中央部分に左右一対の保持突起１１８が、その下部側に左右一対の固定突起１１９が、共に囲いリブ１１７から後ろ向きに突出するように一体に設けられている。表示用窓部１１６の下側には、囲いリブ１１７よりも大きく後方に突出する支持突起１２０が、左右方向に所定間隔をおいて複数、例えば２つ設けられている。
【００７３】
また、囲いリブ１１７の上側及び下側には、ネジ孔を備えた取り付け基部１８２が夫々１又は複数、例えば上側に２個、下側に１個設けられている。
【００７４】
表示用窓部１１６には、液晶表示手段１８１と、この液晶表示手段１８１の前側を覆う表示カバー１２２′とが後側から着脱自在に装着されている。表示カバー１２２′は、表示用窓部１１６に後側から嵌合する膨出状のカバー部１２３と、このカバー部１２３の後縁側に沿ってその外側に所定幅で突出する鍔部１２２ａとを一体に備えており、その全体が透明な樹脂等により形成されている。鍔部１２２ａには、取り付け基部１８２に対応して通孔１８３が複数設けられている。
【００７５】
液晶表示手段１８１は、前面構成部材取り付け部１１２側の窓孔１６１に嵌合可能な大きさの略直方体に形成され、その前面側周縁部に沿って外側に張り出す鍔部１８１ａが一体に設けられており、その鍔部１８１ａを表示カバー１２２′の鍔部１２２ａの裏面側に当接させた状態で下縁側が支持突起１２０により下側から支持されると共に、その左右両端部側に保持突起１１８の係合爪１１８ａが係合して、表示カバー１２２と共に前面構成部材１１１側に保持されるようになっている。
【００７６】
また、鍔部１８１ａには、取り付け基部１８２に対応して通孔１８４が複数設けられており、表示カバー１２２′と共に取り付け基部１８２に対して裏側からネジ止めにより着脱自在に固定される。
【００７７】
前面構成部材１１１′は、前面構成部材１１１と略同様の手順で前面構成部材取り付け部１１２に装着できる。前面構成部材１１１′を前面構成部材取り付け部１１２に装着した状態では、液晶表示手段１８１の後部側が窓孔１６１に嵌合してその後側に大きく突出するが、第２反射板１０２を取り外した状態では窓孔１６１の後側に大きな空間が存在するため、他の部材等と緩衝することはない。なお、液晶表示手段１８１を第２反射板１０２よりも前側の空間に収まる大きさに形成して、第２反射板１０２を装着したままで前面構成部材１１１′を装着するようにしてもよい。
【００７８】
以上説明したように、本実施形態では、前枠３の前側で且つ図柄表示窓５１ａ〜５１ｃを避けた位置に、前枠３の前面側の所定部位を構成する前面構成部材１１１，１１１′を着脱可能に装着し、これら前面構成部材１１１，１１１′に、所定の表示を行うための表示用窓部１１６を形成しているため、前枠３全体を交換することなく表示用窓部１１６に所定表示を行うための表示手段を容易に交換可能であり、コスト低減等の効果を享受できる。
【００７９】
前面構成部材１１１，１１１′は、表示用窓部１１６に所定の表示を行う手段として、所定の画像を変動表示可能な液晶表示手段１８１と所定の静止画が描かれた表示板１２１との何れか一方を備えているため、前面構成部材１１１，１１１′ごと液晶表示手段１８１と表示板１２１とを取り替えることが可能である。
【００８０】
前面構成部材１１１，１１１′に、前面構成部材１１１，１１１′を前枠３に固定するための係合爪１１９ａと、表示板１２１，液晶表示手段１８１を前面構成部材１１１，１１１′に固定するための係合爪１１８ａとを設けているため、簡単な構成で表示板１２１，液晶表示手段１８１の保持と前枠３への固定とを確実に行うことができる。
【００８１】
前面構成部材１１１，１１１′と隣接する位置にランプカバー６６を着脱可能に配置し、ランプカバー６６と前面構成部材１１１，１１１′とを前枠３に対して友締めにより固定しているため、部品点数の削減や組み立て工程の簡略化が可能である。
【００８２】
前面構成部材１１１，１１１′の後方に、液晶表示手段１８１を収容可能な空間を設けているため、液晶表示手段を容易に装着できる。
【００８３】
前面構成部材１１１，１１１′は、前枠３の横幅寸法と同一若しくは略同一の横幅寸法を有する横長帯状に形成され、前枠３の前面側所定高さ位置に横幅方向全域にわたって凹設された前面構成部材取り付け部１１２に、前側から嵌脱自在に取り付けているため、嵌脱自在であるにも拘わらず前枠３の前面側の美観を損なうことなくデザインに一体感を持たせることが可能である。
【００８４】
図１５は本発明の第２の実施形態を例示し、液晶表示手段１８１′を前面構成部材１１１′側ではなく、前枠３側、即ち前面構成部材取り付け部１１２側に装着するようにした例を示している。
【００８５】
図１５に示すように、前面構成部材取り付け部１１２の裏面側には、窓孔１６１の例えば上下に夫々１又は複数の取り付け基部１８５が突設されている。また、液晶表示手段１８１′の例えば上下面側には取り付け基部１８５に対応する支持突部１８６が例えば一体に形成されている。
【００８６】
液晶表示手段１８１′は、その前面側が窓孔１６１に嵌合するように前面構成部材取り付け部１１２の裏面側に配置され、支持突部１８６を取り付け基部１８５に対してネジ止めすることにより前面構成部材取り付け部１１２に対して着脱自在に固定されている。
【００８７】
また、前面構成部材１１１は、例えば第１の実施形態と略同様に構成されており、表示板１２１に代えてその全体が透明な液晶カバー板１２１′が表示板１２１と同様に装着され、液晶表示手段１８１の前面側を透視可能に覆うようになっている。
【００８８】
以上のように、液晶表示手段１８１′を前枠３側、即ち前面構成部材取り付け部１１２側に装着するようにしてもよい。
【００８９】
以上、本発明の各実施形態について詳述したが、本発明はこれら各実施形態に限定されるものではなく、本発明の趣旨を逸脱しない範囲内で種々の変更が可能である。例えば、前面構成部材１１１に、表示板１２１の固定手段と液晶表示手段１８１の固定手段とを同時に設けておき、表示板１２１と液晶表示手段１８１との何れかを選択的に装着できるようにしてもよい。
【００９０】
第１の実施形態のように、表示板１２１用の前面構成部材１１１と液晶表示手段１８１用の前面構成部材１１１′とを個別に形成する場合には、それら前面構成部材１１１，１１１′の前面側のデザインを夫々異ならせてもよい。例えば、ランプカバー部１２４を構成するスリット１２５の配置方向を互いに異ならせたり、レンズ部材１２６の色を異ならせてもよい。これにより、機種毎の独自性をより明確にアピールすることができる。
【００９１】
表示用窓部１１６に所定の表示を行う電気的表示手段は、液晶表示手段１８１に限られるものではなく、７セグメント式表示手段その他の表示手段であってもよい。また、電気的表示手段に代えて回転ドラム式の表示手段等の機械的表示手段を設けてもよい。
【００９２】
前面構成部材１１１は、前枠３の前側で且つ図柄表示窓５１ａ〜５１ｃを避けた位置に配置すればよく、例えば図柄表示窓５１ａ〜５１ｃの横側や下側等に配置してもよい。
【００９３】
【発明の効果】
本発明では、前方が開放した略箱形の外枠２と、複数種類の遊技図柄を変動表示可能な複数の図柄表示部１１ａ〜１１ｃを備えた変動表示手段７と、外枠２の前側に開閉可能に枢着され且つ各図柄表示部１１ａ〜１１ｃに対応する図柄表示窓５１ａ〜５１ｃを有する前枠３とを備えた回胴式遊技機において、前枠３の前側で且つ図柄表示窓５１ａ〜５１ｃを避けた位置に、前枠３の前面側の所定部位を構成する前面構成部材１１１を着脱可能に装着し、該前面構成部材１１１は、左右方向中央部分に設けられた表示用窓部１１６と、該表示用窓部１１６の左右の縁部から後ろ向きに突出すると共にその先端側に内向きの爪部１１８ａが設けられた保持突起１１８とを備え、表示用窓部１１６には、液晶カバー板１２１′と、この液晶カバー板１２１′を前側から覆う表示カバー１２２とが後側から着脱自在に装着されており、表示カバー１２２は、表示用窓部１１６に後側から嵌合するカバー部１２３と、このカバー部１２３の後縁側に沿ってその外側に所定幅で突出する鍔部１２２ａとを一体に備え、表示カバー１２２と液晶カバー板１２１′とは、保持突起１１８の爪部１１８ａを液晶カバー板１２１′の側縁部に係合させることにより前面構成部材１１１の後側に固定され、表示用窓部１１６の左右両側で前面構成部材１１１の後側に配置されるレンズ部材１２６の保持突部１３０を、表示カバー１２２の鍔部１２２ａと前面構成部材１１１との隙間に嵌合させ、液晶表示手段１８１′を、表示用窓部１１６に対応して前枠３の後側に装着しているため、前枠３全体を交換することなく表示用窓部１１６に所定表示を行うための表示手段を容易に交換可能であり、コスト低減等の効果を享受できる。
【図面の簡単な説明】
【図１】本発明の第１の実施形態を示す回胴式遊技機の正面図である。
【図２】本発明の第１の実施形態を示す回胴式遊技機の側面図である。
【図３】本発明の第１の実施形態を示すランプパネル部及び第２表示パネル部の縦断面図である。
【図４】本発明の第１の実施形態を示す前面構成部材の正面図及び裏面図である。
【図５】本発明の第１の実施形態を示す前面構成部材の側面図である。
【図６】本発明の第１の実施形態を示す前面構成部材の部分底面図である。
【図７】本発明の第１の実施形態を示す前面構成部材を取り外した状態でのランプパネル部及び第２表示パネル部の正面図である。
【図８】本発明の第１の実施形態を示すランプカバー部の縦断面図である。
【図９】本発明の第１の実施形態を示すランプカバー部の横断面図である。
【図１０】本発明の第１の実施形態を示すランプカバー部の横断面図である。
【図１１】本発明の第１の実施形態を示す係合爪と係合孔との係合部分の横断面図である。
【図１２】本発明の第１の実施形態を示すランプパネル部及び第２表示パネル部の分解斜視図である。
【図１３】本発明の第１の実施形態を示す液晶表示手段を装着した場合のランプパネル部及び第２表示パネル部の縦断面図である。
【図１４】本発明の第１の実施形態を示す液晶表示手段を装着した前面構成部材の裏面図である。
【図１５】本発明の第２の実施形態を示すランプパネル部及び第２表示パネル部の縦断面図である。
【符号の説明】
２    外枠
３    前枠
７    変動表示手段
１１ａ〜１１ｃ    図柄表示リール（図柄表示部）
５１ａ〜５１ｃ    図柄表示窓
６６    サイドランプカバー
１１１    前面構成部材
１１１′  前面構成部材
１１２    前面構成部材取り付け部
１１６    表示用窓部
１１８ａ  係合爪
１１９ａ  係合爪
１２１    表示板
１８１    液晶表示手段（電気的表示手段）
【図１】
0003696539.tif 000002
【図２】
0003696539.tif 000003
【図３】
0003696539.tif 000004
【図４】
0003696539.tif 000005
【図５】
0003696539.tif 000006
【図６】
0003696539.tif 000007
【図７】
0003696539.tif 000008
【図８】
0003696539.tif 000009
【図９】
0003696539.tif 000010
【図１０】
0003696539.tif 000011
【図１１】
0003696539.tif 000012
【図１２】
0003696539.tif 000013
【図１３】
0003696539.tif 000014
【図１４】
0003696539.tif 000015
【図１５】
0003696539.tif 000016